(57)【要約】【課題】受信装置の回路規模を小型化する。【解決手段】本発明の受信装置は、基準信号を出力するＭＥＭＳ振動子１４と、このＭＥＭＳ振動子１４が出力した基準信号に基づいて発振信号を出力する発振器１５と、この発振器１５から出力された発振信号が入力される混合器１３と、この混合器１３の入力側若しくは出力側に接続された増幅器１２と、この増幅器１２の出力側に接続されて受信強度を検出する信号強度検出部１８と、この混合器１３の出力側に接続されて入力信号の周波数変動を検出する周波数変動検出部１９と、信号強度検出部１８の検出結果に基づいて増幅部１２の増幅度を制御する制御部とを備える。  そして、この制御部は周波数変動検出部が検出した周波数変動によって周囲温度を検知し、この検知した温度と信号強度検出部の検出結果に基づいて受信信号の有無を判断する制御を行う。【選択図】図１
2010062606.tif 000002
【特許請求の範囲】
【請求項１】
基準信号を出力するＭＥＭＳ振動子と、
前記ＭＥＭＳ振動子が出力した基準信号に基づいて発振信号を出力する発振器と、
前記発振器から出力された発振信号が入力される混合器と、
前記混合器の入力側若しくは出力側に接続された増幅器と、
前記増幅器の出力側に接続されて受信強度を検出する信号強度検出部と、
前記混合器の出力側に接続されて入力信号の周波数変動を検出する周波数変動検出部と、
前記信号強度検出部の検出結果に基づいて前記増幅部の増幅度を制御する制御部とを備え、
前記制御部は前記周波数変動検出部が検出した周波数変動によって周囲温度を検知し、この検知した温度と前記信号強度検出部の検出結果に基づいて受信信号の有無を判断する受信装置。
【請求項２】
基準信号を出力するＭＥＭＳ振動子と、
前記ＭＥＭＳ振動子が出力した基準信号に基づいて発振信号を出力する発振器と、
前記発振器から出力された発振信号が入力される混合器と、
前記混合器の入力側若しくは出力側に接続された増幅器と、
前記増幅器の出力側に接続されて受信強度を検出する信号強度検出部と、
前記混合器の出力側に接続されて入力信号の周波数変動を検出する周波数変動検出部と、
前記信号強度検出部の検出結果に基づいて前記増幅部の増幅度を制御する制御部とを備え、
前記制御部は前記周波数変動検出部が検出した周波数変動によって前記ＭＥＭＳ振動子の温度を検知し、検知した温度に基づいて前記増幅部の増幅度を制御する受信装置。
【請求項３】
少なくとも前記ＭＥＭＳ振動子と、前記発振器と、前記混合器と、前記増幅器とが同一の半導体基板上に形成された請求項１又は請求項２に記載の受信装置。
【請求項４】
前記制御部は、前記受信装置が電源オンした所定時間経過後に前記周波数変動検出部が検出した周波数変動によって前記ＭＥＭＳ振動子の温度を検知する請求項１又は請求項２に記載の受信装置。
【請求項５】
請求項１または請求項２に記載の受信装置と、
前記受信装置の出力側に接続された表示部とを搭載した電子機器。
【発明の詳細な説明】
【技術分野】
【０００１】
本発明は、信号を受信する受信装置と、これを用いた電子機器に関する。
【背景技術】
【０００２】
以下、従来の受信装置について、図３を用いて説明する。図３は、従来の受信装置を搭載した電子機器のブロック図である。
【０００３】
図３において、従来の受信装置１は、基準信号を出力する水晶振動子２と、この水晶振動子２が出力した基準信号に基づいて発振信号を出力する発振器３と、この発振器３から出力された発振信号が入力される混合器４と、この混合器４の入力側に接続された増幅器５と、この増幅器５の出力側に接続されて受信強度を検出する信号強度検出部６と、この信号強度検出部６の検出結果に基づいて増幅部５の増幅度を制御する制御部７と、この受信装置１の温度を検出する温度センサ８とを備えていた。
【０００４】
この制御部７は、温度センサ８が検出した受信装置１の温度と信号強度検出部６の検出結果に基づいて受信信号の有無を判断し、チャンネルサーチを行っていた。
【０００５】
これにより、増幅部５の増幅度が周囲温度によって変動しても、制御部７は、温度センサ８の検出結果から導出した判断基準により受信信号の有無を判断するので、周囲温度の影響をあまり受けずに受信信号の有無を適切に判断しチャンネルサーチを行うことができる。
【０００６】
なお、この出願の発明に関連する先行技術文献情報としては、例えば、特許文献１が知られている。
【特許文献１】特許第３００５４７５号公報
【発明の開示】
【発明が解決しようとする課題】
【０００７】
しかし、従来の受信装置１は、温度センサ８を搭載していたので、回路規模が大きくなるという問題があった。
【０００８】
そこで本発明は、周囲温度の影響を考慮して制御を行う受信装置において、回路規模を小型化することを目的とする。
【課題を解決するための手段】
【０００９】
上記目的を達成するために、本発明の受信装置は、基準信号を出力するＭＥＭＳ振動子と、このＭＥＭＳ振動子が出力した基準信号に基づいて発振信号を出力する発振器と、この発振器から出力された発振信号が入力される混合器と、この混合器の入力側若しくは出力側に接続された増幅器と、この増幅器の出力側に接続されて受信強度を検出する信号強度検出部と、この混合器の出力側に接続されて入力信号の周波数変動を検出する周波数変動検出部と、信号強度検出部の検出結果に基づいて前記増幅部の増幅度を制御する制御部とを備える。
【００１０】
そして、この制御部は周波数変動検出部が検出した周波数変動によって周囲温度を検知し、この検知した温度と信号強度検出部の検出結果に基づいて受信信号の有無を判断する制御を行う。
【発明の効果】
【００１１】
本発明の受信装置は、温度センサを用いなくとも、周囲温度の影響を考慮して制御を行うので、回路規模を小型化することができる。
【発明を実施するための最良の形態】
【００１２】
（実施の形態１）
以下、実施の形態１の受信装置について図１を用いて説明する。図１は、実施の形態１の受信装置９を搭載した電子機器のブロック図である。
【００１３】
図１において、受信装置９は、例えば同一の半導体ＩＣに形成され、アンテナ１０の出力側に接続されて不要信号を除去し例えば帯域制限フィルタからなるフィルタ１１と、このフィルタ１１の出力側に接続された増幅器１２と、この増幅器１２の出力側に接続され受信信号と発振信号を混合する混合器１３とを備える。また、受信装置９は、基準信号を出力するＭＥＭＳ（Micro Electro Mechanical Systems）振動子１４と、このＭＥＭＳ振動子１４が出力した基準信号に基づいて発振信号を混合器１３に出力する発振器１５とを備える。さらに、受信装置９は、混合器１３の出力側に接続されてアナログ信号をデジタル信号に変換するＡＤ変換部１６と、このＡＤ変換部１６の出力側に接続された復調処理部１７とを備える。さらに、受信装置９は、ＡＤ変換部１６と復調処理部１７との間に接続されて受信強度を検出する信号強度検出部１８と、ＡＤ変換部１６と復調処理部１７との間に接続されて入力信号の周波数変動を検出する周波数変動検出部１９と、信号強度検出部１８の検出結果に基づいて増幅部１２の増幅度を制御する制御部２０とを備える。
【００１４】
尚、この受信装置９を搭載した電子機器（図示せず）は、受信装置９の出力側に接続された復号処理部２２と、この復号処理部２２の出力側に接続された表示部２３を有する。
【００１５】
制御部２０は周波数変動検出部１９が検出した周波数変動によって周囲温度を検知し、この検知した温度と信号強度検出部１８の検出結果に基づいて受信信号の有無を判断する制御を行う。
【００１６】
次に、制御部２０の制御について詳述する。
【００１７】
増幅部１２の増幅度は増幅部１２の周囲温度によって変動する。従って、チャンネルサーチを行う際、制御部２０は、周囲温度による増幅部１２の増幅度変動を考慮して信号の有無を判断する必要がある。
【００１８】
ここで、ＭＥＭＳ振動子１４は、ＭＥＭＳ振動子１４の周囲温度により、出力される基準信号の周波数変動が顕著に発生する。制御部２０は、この基準信号の周波数変動に起因して発生する中間周波数の変動を用いて、温度検出を行う。即ち、制御部２０は、制御部２０に接続された記憶部２１が記憶している（表１）に示すテーブルに基づき、周囲温度を検知するのである。
【００１９】
【表１】
2010062606.tif 000003
【００２０】
この（表１）は、周波数変動検出部１９が検出した周波数変動と、増幅部１２の周囲温度と、信号有無を判断する閾値の補正値との関係を示している。
【００２１】
例えば、受信装置９の周囲温度が室温（２０℃）のときの、制御部２０が信号有無を判断する際の受信強度閾値を−９０ｄＢｍとする。
【００２２】
まず、周波数変動検出部１９は、設定した受信周波数、即ち、周囲温度が室温（２０℃）の場合の周波数と、実際の入力信号の周波数とを比較し、これらの周波数差である周波数変動値が−０．３１１ＭＨｚであった場合、制御部２０は、周囲温度が６０℃と判断する。そして、制御部２０は、記憶部２１が記憶しているテーブル（表１）を参照し、増幅部１２の周囲温度が６０℃のときの補正値が−１．６ｄＢであることを読み取り、制御部２０は、上記の受信強度閾値を−９１．６ｄＢｍ（＝−９０ｄＢｍ−１．６ｄＢ）として、受信信号の有無を判断する。このようにして、受信装置９は、チャンネルサーチを行うのである。
【００２３】
これにより、増幅部１２の増幅度が周囲温度によって変動しても、制御部２０は、周波数変動検出部１９の検出結果から導出した判断基準により受信信号の有無を判断するので、周囲温度の影響をあまり受けずに受信信号の有無を適切に判断しチャンネルサーチを行うことができる。即ち、従来の水晶振動子ではなく温度に対する周波数変動が直線的なシリコン材を用いたＭＥＭＳ振動子１４を用いて温度検出を行ったからこそ、制御部２０は、受信信号の有無を正確に判断できる。このように、受信装置９は、温度センサを用いなくとも、周囲温度の影響を考慮して制御を行うので、回路規模を小型化することができる。
【００２４】
（実施の形態２）
以下、実施の形態２の受信装置について図１を用いて説明する。図１は、実施の形態２の受信装置９を搭載した電子機器のブロック図である。尚、特に説明しない限り、実施の形態２における受信装置は、実施の形態１と同様の構成である。
【００２５】
図１において、受信装置９は、例えば同一の半導体ＩＣに形成され、アンテナ１０の出力側に接続されて不要信号を除去し例えば帯域制限フィルタからなるフィルタ１１と、このフィルタ１１の出力側に接続された増幅器１２と、この増幅器１２の出力側に接続され受信信号と発振信号を混合する混合器１３とを備える。また、受信装置９は、基準信号を出力するＭＥＭＳ振動子１４と、このＭＥＭＳ振動子１４が出力した基準信号に基づいて発振信号を混合器１３に出力する発振器１５とを備える。さらに、受信装置９は、混合器１３の出力側に接続されてアナログ信号をデジタル信号に変換するＡＤ変換部１６と、このＡＤ変換部１６の出力側に接続された復調処理部１７とを備える。さらに、受信装置９は、ＡＤ変換部１６と復調処理部１７との間に接続されて受信強度を検出する信号強度検出部１８と、ＡＤ変換部１６と復調処理部１７との間に接続されて入力信号の周波数変動を検出する周波数変動検出部１９と、信号強度検出部１８の検出結果に基づいて増幅部１２の増幅度を制御する制御部２０とを備える。
【００２６】
この制御部は周波数変動検出部が検出した周波数変動によってＭＥＭＳ振動子１４の温度を検知し、検知した温度に基づいて増幅部１２の増幅度を制御する。
【００２７】
増幅部１２の増幅度は増幅部１２の周囲温度によって変動する。従って、制御部２０は、周囲温度による増幅部１２の増幅度変動を考慮して増幅部１２の増幅度を制御する必要がある。
【００２８】
これにより、増幅部１２の増幅度が周囲温度によって変動しても、制御部２０は、周波数変動検出部１９の検出結果から導出した周囲温度に基づいて増幅部１２の増幅度を制御するので、周囲温度の影響をあまり受けずに増幅度制御を行うことができる。即ち、従来の水晶振動子ではなく温度に対する周波数変動が直線的なシリコン材を用いたＭＥＭＳ振動子１４を用いて温度検出を行ったからこそ、制御部２０は、増幅度制御を正確に実行することができる。このように、受信装置９は、温度センサを用いなくとも、周囲温度の影響を考慮して制御を行うので、回路規模を小型化することができる。
【００２９】
（実施の形態３）
以下、実施の形態３の受信装置について図２を用いて説明する。図２は、実施の形態３の受信装置９を搭載した電子機器のブロック図である。尚、特に説明しない限り、実施の形態３における受信装置は、実施の形態１又は実施の形態２と同様の構成である。
【００３０】
図２において、受信装置９は、更に、制御部２０に接続された時計部３０を備える。
【００３１】
制御部２０は周波数変動検出部１９が検出した周波数変動によって周囲温度を検知し、この検知した温度と信号強度検出部１８の検出結果に基づいて受信信号の有無を判断する制御を行う。
【００３２】
受信装置９の電源をオンした場合、電源をオンした直後の受信装置９の温度と、電源をオンして所定時間経過した場合の受信装置９の温度とは、異なる。尚、受信装置９の周囲温度が氷点下２０度のようなコールド状態において、両者は特に異なる。
【００３３】
これにより、受信装置９の電源をオンした直後の信号強度と、受信装置９の電源をオンして所定時間経過した後にほぼ一定になった信号強度とは、たとえアンテナ１０で受信した信号強度が同一でも、異なることになる。これは、各々の場合において、増幅部１２の増幅度が異なるからである。そこで、制御部２０は、時計部３０の時間計測結果に基づいて、受信装置９が電源オンしてから所定時間経過後に周波数変動検出部１９が検出した周波数変動によってＭＥＭＳ振動子の温度を検知し、信号強度検出部１８の検出結果を補正する。
【００３４】
次に、制御部２０の制御について詳述する。
【００３５】
電源オンと共に時計部３０において時間の計測を開始する。次に、制御部２０はチャンネルサーチや電界強度取得を行う時に、時計部３０からの時間を取得する。次に制御部２０は記憶部２１にあらかじめ記録されている所定時間を取得し、この所定時間と時計部３０から取得した時間との比較を行う。制御部２０は、この比較の結果、時計部３０から取得した時間が記憶部２１から取得した所定時間以上経過している場合は、以下実施の形態１と同様の受信信号判断を行う。
【００３６】
また、制御部２０は、比較の結果、時計部３０から取得した時間が記憶部２１から取得した所定時間を経過していない場合は、信号強度検出部１８が検出した検出値に、あらかじめ記憶部２１に記録された補正値分を補正した値を検出値として使用する。
【００３７】
以下実施の形態１と同様の動作で受信信号の有無を判断する。
【００３８】
このように、制御部２０は、受信装置９が電源オンした所定時間経過後に周波数変動検出部１９が検出した周波数変動によってＭＥＭＳ振動子１４の温度を検知するので、温度変化中における周波数調整をしなくともよく、受信装置９の消費電力を低減することができる。
【００３９】
尚、実施の形態３において、制御部２０は、実施の形態２の如く、周波数変動検出部１９が検出した周波数変動によってＭＥＭＳ振動子１４の温度を検知し、検知した温度に基づいて増幅部１２の増幅度を制御しても良い。この場合も、制御部２０は、受信装置９が電源オンした所定時間経過後に周波数変動検出部が検出した周波数変動によってＭＥＭＳ振動子１４の温度を検知するので、より正確に温度検出を行うことができるのである。
【産業上の利用可能性】
【００４０】
本発明にかかる受信装置は、回路規模を小型化することができ、携帯電話等の電子機器に利用可能である。
【図面の簡単な説明】
【００４１】
【図１】本発明の実施の形態１、２における受信装置のブロック図
【図２】本発明の実施の形態３における受信装置のブロック図
【図３】従来の受信装置のブロック図
【符号の説明】
【００４２】
９  受信装置
１０  アンテナ
１１  フィルタ
１２  増幅器
１３  混合器
１４  ＭＥＭＳ振動子
１５  発振器
１６  ＡＤ変換部
１７  復調処理部
１８  信号強度検出部
１９  周波数変動検出部
２０  制御部
２１  記憶部
２２  復号処理部
２３  表示部
３０  時計部
【図１】
2010062606.tif 000004
【図２】
2010062606.tif 000005
【図３】
2010062606.tif 000006